(57)【要約】【課題】使用時にバッテリが飛び出すことを防止し、不使用時にバッテリを取外し易くした電子機器を提供する。【解決手段】デジタルスチルカメラのカメラ本体１１にはレンズバリア２０が設けられている。バッテリ３０はバッテリ収納室３１の内部に収納され、カメラ本体１１の底面部１１ｃから出し入れすることができる。レンズバリア２０に設けられた摺動ピン２４は、レンズバリア２０を閉じた時にねじりバネ３５を弾性変形させる。押出しカム３２はねじりバネ３５の復元力で回動し、バッテリ３０を底面部１１ｃに向かって押圧する。レンズバリア２０が開いた状態ではバッテリ３０が押出しカム３２に押圧されず、バッテリ３０が外部に飛び出すことが防止される。【選択図】図３
2007280703.tif 000002
【特許請求の範囲】
【請求項１】
電力が供給されるオン位置と電力が遮断されるオフ位置との間で切り替えられる電源スイッチを操作するための可動部材と、機器本体側と電気的に接続される着脱自在な着脱部品が収納される収納部とを備えた電子機器において、
前記電源スイッチのオフ位置に前記可動部材を操作した際に、前記着脱部品を取出す方向に押圧力を発生させ、前記着脱部品を押出す押出し手段を備えたことを特徴とする電子機器。
【請求項２】
前記押出し手段は、前記可動部材が操作された力を前記着脱部品に伝達する伝達手段を備えていることを特徴とする請求項１記載の電子機器。
【請求項３】
前記伝達手段は、前記電源スイッチのオフ位置に前記可動部材を操作するための力を受けて弾性変形し、その復元力により前記押圧力を得る弾性体を備えていることを特徴とする請求項２に記載の電子機器。
【請求項４】
前記可動部材は、前記着脱部品を取り出す方向と垂直な方向に操作され、
前記伝達手段は、前記弾性体としてのねじりバネと、前記ねじりバネの復元力を受けて回動し、前記着脱部品を押出すカムとを備えていることを特徴とする請求項３に記載の電子機器。
【請求項５】
前記可動部材は、前記着脱部品を取り出す方向と垂直な方向に操作され、
前記伝達手段は、前記可動部材が操作される方向の力を、前記着脱部品を取り出す方向の力に変換するカムと、前記カムによって弾性変形して前記押圧力を得る圧縮バネを備えていることを特徴とする請求項３に記載の電子機器。
【請求項６】
前記伝達手段は、前記弾性体としての圧縮バネと、前記可動部材及び前記圧縮バネにそれぞれ取付けられた磁石とを備えており、
前記磁石は互いに同じ極を向かい合わせており、前記可動部材が操作された位置に応じて前記磁石の互いの距離が変化した時に反発する磁力により前記圧縮バネを弾性変形させることを特徴とする請求項３に記載の電子機器。
【請求項７】
前記収納部は、電源となるバッテリを前記着脱部品として収納するバッテリ収納室であることを特徴とする請求項１ないし６のいずれか１つに記載の電子機器。
【請求項８】
前記可動部材として撮影レンズを露呈する開放位置と撮影レンズを覆う閉鎖位置との間で移動するレンズバリアを備え、前記レンズバリアの開放位置が前記電源スイッチのオン位置に設定された撮影装置として構成されていることを特徴とする請求項１ないし７のいずれか１つに記載の電子機器。
【発明の詳細な説明】
【技術分野】
【０００１】
本発明は、バッテリ等の着脱自在な部品を収納する収納部を備えた電子機器に関する。
【背景技術】
【０００２】
デジタルスチルカメラや携帯電話機等の持ち運びができる携帯電子機器が普及している。一般の携帯電子機器は、乾電池や充電池を電源として駆動するため、電源となる各種のバッテリを収納するためのバッテリ収納室を備えている。バッテリ収納室にはバッテリを出し入れするための開口部が形成されており、収納されたバッテリが脱落しないように開口部には蓋が取付けられる。
【０００３】
バッテリの交換頻度が高い電子機器には、バッテリを付勢するバネが設けられており、バッテリ収納室の蓋を外した際にバッテリの一部を突出させてこれを取出しやすくすることが一般的である（特許文献１参照）。また、収納されたバッテリがバネによって常に付勢されていると、落下の衝撃でバッテリ収納室の蓋が外れた際にバッテリが外部に飛び出しやすくなるため、バッテリをロック爪によって固定するものが知られている（特許文献２，３参照）。
【特許文献１】特開平１０−１１２３０３号公報
【特許文献２】特開平９−６４８７号公報
【特許文献３】特開２００４−１４３０８号公報
【発明の開示】
【発明が解決しようとする課題】
【０００４】
しかしながら、特許文献２及び３に記載された従来技術では、バッテリがその取出し方向に常に付勢されているため、ロック爪によりバッテリが動かないように押さえなければならず、ロック爪が故障した場合はバッテリの装着が不可能になる。また、バネの付勢力によってバッテリ収納室の内部でバッテリの電極の位置がずれ易く、バッテリの接触不良を引き起こし易い問題がある。
【０００５】
本発明は、上記問題点を考慮してなされたもので、バッテリ等の着脱部品が使用時に外れ難く、不使用時に取外し易い電子機器を提供することを目的とする。
【課題を解決するための手段】
【０００６】
上記目的を達成するために、本発明は、電力が供給されるオン位置と電力が遮断されるオフ位置との間で切り替えられる電源スイッチを操作するための可動部材と、機器本体側と電気的に接続される着脱自在な着脱部品が収納される収納部とを備えた電子機器において、前記電源スイッチのオフ位置に前記可動部材を操作した際に、前記着脱部品を取出す方向に押圧力を発生させ、前記着脱部品を押出す押出し手段を備えたことを特徴とする。
【０００７】
前記押出し手段は、前記可動部材が操作された力を前記着脱部品に伝達する伝達手段を備えていることを特徴とする。
【０００８】
前記伝達手段は、前記電源スイッチのオフ位置に前記可動部材を操作するための力を受けて弾性変形し、その復元力により前記押圧力を得る弾性体を備えていることを特徴とする。
【０００９】
前記可動部材は、前記着脱部品を取り出す方向と垂直な方向に操作され、前記伝達手段は、前記弾性体としてのねじりバネと、前記ねじりバネの復元力を受けて回動し、前記着脱部品を押出すカムとを備えていることを特徴とする。
【００１０】
前記可動部材は、前記着脱部品を取り出す方向と垂直な方向に操作され、前記伝達手段は、前記可動部材が操作される方向の力を、前記着脱部品を取り出す方向の力に変換するカムと、前記カムによって弾性変形して前記押圧力を得る圧縮バネを備えていることを特徴とする。
【００１１】
前記伝達手段は、前記弾性体としての圧縮バネと、前記可動部材及び前記圧縮バネにそれぞれ取付けられた磁石とを備えており、前記磁石は互いに同じ極を向かい合わせており、前記可動部材が操作された位置に応じて前記磁石の互いの距離が変化した時に反発する磁力により前記圧縮バネを弾性変形させることを特徴とする。
【００１２】
前記収納部は、電源となるバッテリを前記着脱部品として収納するバッテリ収納室であることを特徴とする。
【００１３】
前記可動部材として撮影レンズを露呈する開放位置と撮影レンズを覆う閉鎖位置との間で移動するレンズバリアを備え、前記レンズバリアの開放位置が前記電源スイッチのオン位置に設定された撮影装置として構成されていることを特徴とする。
【発明の効果】
【００１４】
本発明によれば、電源スイッチのオンとオフを行うための可動部材の動きに連動し、電源スイッチがオフの場合にバッテリ等の着脱部品を取出す方向の押圧力を発生させ、この着脱部品を押出すから、着脱部品の一部を突出させてこれを取出し易くすることができる。電源スイッチがオンの状態では着脱部品に押圧力が加えられないから、落下時の衝撃等によって蓋が外れても着脱部品が飛び出すことを防止できる。また、着脱部品としてバッテリやメモリカードを適用した場合、これらを押出すための押圧力が使用時に発生しないから電極等の位置がずれて接触不良を引き起こすことを防止できる。
【発明を実施するための最良の形態】
【００１５】
図１において、本発明を適用したデジタルスチルカメラ１０は、略直方体形状のカメラ本体１１を備えている。カメラ本体１１には、その前面部１１ａに撮影レンズ１２とファインダ１３とストロボ発光部１４が設けられている。カメラ本体１１の上面部１１ｂには撮影モードと再生モードを切換えるためのモードスイッチ１５と、撮影ボタン１６が設けられている。カメラ本体１１には、撮影レンズ１２とファインダ１３を保護するレンズバリア２０が設けられている。レンズバリア２０は、カメラ本体１１の前面部１１ａにスライド自在に設けられ、撮影レンズ１２等を覆う位置と撮影レンズ１２等を露呈する位置との間で移動する。
【００１６】
図２において、カメラ本体１１の前面部１１ａには、レンズバリア２０により覆われる領域にレンズバリア２０を水平方向にガイドする２本のガイド溝２１及びガイド溝２２が設けられている。レンズバリア２０の背面には、ガイド溝２１を摺動する摺動ピン２４と、ガイド溝２２を摺動する摺動ピン２５とが設けられている。摺動ピン２４と摺動ピン２５は、ガイド溝２１とガイド溝２２に挿通され、ガイド溝２１及びガイド溝２２の裏側から抜止め用の部材がそれぞれ取付けられる。これによりレンズバリア２０はカメラ本体１１に対してスライド自在に保持される。
【００１７】
カメラ本体１１の前面部１１ａには、ガイド溝２１とガイド溝２２の間の位置に電源スイッチとなる電源端子２６ａ及び２６ｂが設けられている。レンズバリア２０には、電源端子２６ａ及び２６ｂに接触する導電板２７が設けられている。レンズバリア２０が完全に開いた状態では、導電板２７によって電源端子２６ａと電源端子２６ｂとが接続され、電源がオンになる。一方、レンズバリア２０が少しでも閉じられると電源端子２６ａと電源端子２６ｂとが接続されず、電源がオフになる。
【００１８】
図３において、カメラ本体１１の内部には、デジタルスチルカメラ１０の電源となるバッテリ３０を収納するためのバッテリ収納室３１が設けられている。バッテリ３０は、例えば四角形の板状であり、充電が可能な二次電池からなる。バッテリ収納室３１は、バッテリ３０の電極に接触する端子を有し、カメラ本体１１の底面部１１ｃに設けられた蓋を開放するとバッテリ３０を出し入れすることができる。バッテリ３０は、レンズバリア２０をスライド操作して導電板２７により電源端子２６ａと電源端子２６ｂとが接続された時にデジタルスチルカメラ１０に電力を供給する。
【００１９】
カメラ本体１１の内部には、バッテリ３０を取出す際にバッテリ３０をカメラ本体１１の底面部１１ｃに向かって押出す押出しカム３２が設けられている。押出しカム３２は、バッテリ３０を押出すことでバッテリ３０の一部をバッテリ収納室３１から突出させ、バッテリ３０を取出しやすくする。
【００２０】
図４において、押出しカム３２には、ねじりバネ３５が挿通された回動軸３６が設けられている。回動軸３６はカメラ本体１１に支持され、押出しカム３２が回動自在に支持される。押出しカム３２は、回動時にバッテリ３０を押圧するバッテリ押圧面３７と、ねじりバネ３５の一方の端部３５ａを受けるバネ受け面３８とを有する。ねじりバネ３５の他方の端部３５ｂは、ガイド溝２１を摺動する摺動ピン２４の移動経路上に位置している。摺動ピン２４は、レンズバリア２０が閉じられる際にねじりバネ３５の端部３５ｂを押圧する。
【００２１】
図５において、ねじりバネ３５の端部３５ｂが摺動ピン２４に押されると、ねじりバネ３５の端部３５ａが押出しカム３２のバネ受け面３８を押し、押出しカム３２が回動軸３６を中心に図中時計方向に回動する。バッテリ収納室３１にバッテリ３０が収納されている時、ねじりバネ３５の端部３５ｂが摺動ピン２４に押されるとバッテリ押圧面３７がバッテリ３０の上面に接触する。押出しカム３２は、バッテリ押圧面３７がバッテリ３０の上面に接触した状態で静止する。ねじりバネ３５の端部３５ｂが摺動ピン２４にさらに押されると、ねじりバネ３５は弾性変形し、押出しカム３２のバッテリ押圧面３７はカメラ本体１１の底面部１１ｃに向かってバッテリ３０を強く押圧する。
【００２２】
次に本発明の作用を説明する。デジタルスチルカメラ１０を使用する際にはレンズバリア２０を開き、撮影レンズ１２等を露呈させる。摺動ピン２４と摺動ピン２５はガイド溝２１及びガイド溝２２を摺動し、レンズバリア２０が水平方向にスライドする。レンズバリア２０が完全に開いた時、レンズバリア２０の導電板２７はカメラ本体１１の電源端子２６ａと電源端子２６ｂを接続し、デジタルスチルカメラ１０の電源がオンされる。カメラ本体１１に収納されたバッテリ３０は電力を供給し、デジタルスチルカメラ１０が作動する。レンズバリア２０が開いた状態の時、ねじりバネ３５は自然状態であるため、バッテリ３０は押出しカム３２に押圧されない。
【００２３】
デジタルスチルカメラ１０の使用後はレンズバリア２０を閉じる。レンズバリア２０を閉じる操作を行うと、導電板２７が電源端子２６ａ，２６ｂから離れ、デジタルスチルカメラ１０の電源がオフされる。レンズバリア２０をさらに閉じると、摺動ピン２４がねじりバネ３５の端部３５ｂに接触する。摺動ピン２４はねじりバネ３５を押圧し、ねじりバネ３５は回動軸３６を中心として回動する方向に力を受ける。ねじりバネ３５の端部３５ａは押出しカム３２のバネ受け面３８を押圧し、押出しカム３２は回動軸３６を中心として回動する方向の力を受ける。押出しカム３２のバッテリ押圧面３７はバッテリ３０の上面に接触し、バッテリ３０はねじりバネ３５の復元力に応じた押圧力を受ける。
【００２４】
レンズバリア２０を完全に閉じた時、ねじりバネ３５の弾性変形量が最大になり、押出しカム３２は、ねじりバネ３５の復元力を受けてバッテリ３０をカメラ本体１１の底面部１１ｃに向かって強く押圧する。バッテリ３０の交換等を行うためにバッテリ３０を取出す時は、カメラ本体１１の底面部１１ｃを上に向け、バッテリ収納室３１の蓋を開けると、ねじりバネ３５の力を受けた押出しカム３２がバッテリ３０を押出し、バッテリ３０の一部がバッテリ収納室３１から突出する。バッテリ収納室３１から突出したバッテリ３０を掴むことでバッテリ３０を容易に取出すことができる。
【００２５】
このように、デジタルスチルカメラ１０では、レンズバリア２０の開閉と電源スイッチのオンオフが連動しており、レンズバリア２０を開いて電源がオンした状態では押出しカム３２がバッテリ３０を押圧せず、レンズバリア２０を閉じて電源をオフした状態では押出しカム３２がバッテリ３０を押圧するから、電源オン時にはバッテリ３０が飛び出しにくくなり、電源オフ時にはバッテリ３０を取出し易くすることができる。
【００２６】
なお、上記実施形態では、摺動ピン２４がねじりバネ３５の端部３５ｂを押圧した時に発生した復元力を押出しカム３２に伝達し、押出しカム３２を回動させてバッテリ３０を押出しているが、本発明ではこれ以外の構成を採用することもできる。例えば、図６及び図７に第２実施形態として示すように、摺動ピン２４が摺接するテーパ面５０ａを有するテーパカム５０と、テーパカム５０の下部に接続された圧縮バネ５１と、圧縮バネ５１の復元力を受けてバッテリ３０を押出す押出し板５２とを設ける。
【００２７】
摺動ピン２４はレンズバリア２０が閉じられる時にテーパカム５０のテーパ面５０ａの上をスライドし、テーパカム５０を下方に押し下げる。テーパカム５０は上下方向のスライド移動のみが行えるように動きが規制されている。テーパカム５０が押し下げられると、圧縮バネ５１が圧縮変形して押出し板５２を押し下げる。押出し板５２は、バッテリ３０を押圧し、バッテリ３０を取出す際にバッテリ３０の一部を突出させる。レンズバリア２０が開いている状態では、摺動ピン２４とテーパカム５０が接触しないので、圧縮バネ５１が自然状態であるから、押出し板５２はバッテリ３０を押圧しない。すなわち、レンズバリア２０が閉じられた電源オフ時のみバッテリ３０が押圧され、レンズバリア２０が開いた電源オン時にはバッテリ３０が押圧されない。
【００２８】
また、第３の実施形態として、図８に示すように、摺動ピン２４に第１の磁石６０を設け、磁石６０と対面する位置に第２の磁石６１を設け、磁石６１の下部に圧縮バネ６２と押出し板６３を設ける。磁石６０と磁石６１は、Ｎ極が互いに向かうように設けられている。レンズバリア２０を閉じると、摺動ピン２４が磁石６１に接近し、磁石６０と磁石６１との間で反発する磁力が生じる。磁石６１は、上下方向のスライド移動のみが行えるように動きが規制された支持板６４に取り付けられている。磁石６１は、磁石６０との間に生じる反発力により下方向に押し下げられ、圧縮バネ６２を圧縮させる。押出し板６３は圧縮バネ６２によって下方に押し下げられ、バッテリ３０を押圧する。レンズバリア２０が開いている状態では、磁石６０と磁石６１が離れているので、圧縮バネ６２は自然状態になり、押出し板６３はバッテリ３０を押圧しない。すなわち、レンズバリア２０が閉じられた電源オフ時のみバッテリ３０が押圧され、レンズバリア２０が開いた電源オン時にはバッテリ３０が押圧されない。
【００２９】
第４の実施形態を示す図９において、バッテリ３０は、カメラ本体１１に取付ける方向及びカメラ本体１１から取外す際の方向がレンズバリア２０の開閉方向と平行である。レンズバリア２０には、バッテリ３０を押圧する弾性体として板バネ７０が設けられている。板バネ７０は、レンズバリア２０に固定された固定部７０ａを有しており、カメラ本体１１に設けられた水平方向に細長い開口部７１からカメラ本体１１の内部に入り込んでいる。板バネ７０は、レンズバリア２０を開閉した時に開口部７１に沿って移動する。レンズバリア２０を閉じた状態では、板バネ７０がバッテリ３０に接触し、バッテリ３０を押圧する。これによりレンズバリア２０を閉じた状態ではバッテリ３０を取り出す際にバッテリ３０が外側に押出され、取り出し易くなる。レンズバリア２０が開いた状態では、板バネ７０がバッテリ３０から離れ、バッテリ３０は押圧されないので、カメラ本体１１に衝撃が加えられた場合等にバッテリ３０が外部に飛び出しにくくなる。
【００３０】
本発明は、デジタルスチルカメラと異なる他の電子機器に適用することができる。例えば、バッテリを使用する携帯電子機器として、携帯電話機やコンピュータ端末等に本発明を適用することができる。また、機器本体に着脱される着脱部品としては、バッテリの他にメモリカードやＩＣカード等の情報記憶媒体を適用してもよい。また、着脱部品を押出すために、可動部材を移動する際の力をねじりバネ等の弾性体に伝達し、弾性体の復元力を利用して押圧力を発生するものに限られず、例えばソレノイド等の駆動源と可動部材の位置を検知するセンサを設け、電源スイッチのオフ位置で押圧力が発生し、電源スイッチのオン位置で押圧力が消えるように可動部材の位置に応じて駆動源を駆動させてもよい。
【図面の簡単な説明】
【００３１】
【図１】デジタルスチルカメラの斜視図である。
【図２】カメラ本体とレンズバリアの斜視図である。
【図３】バッテリと押出しカムを示す平面図である。
【図４】押出しカムとねじりバネの斜視図である。
【図５】押出しカムの作用を示す平面図である。
【図６】テーパカムを備えた第２実施形態の平面図である。
【図７】テーパカムの作用を示す斜視図である。
【図８】磁石を備えた第３の実施形態の斜視図である。
【図９】板バネを備えた第４実施形態の平面図である。
【符号の説明】
【００３２】
１０  デジタルスチルカメラ
１１  カメラ本体
１１ｃ  底面部
１２  撮影レンズ
２０  レンズバリア
２１，２２  ガイド溝
２４，２５  摺動ピン
２６ａ，２６ｂ  電源端子
２７  導電板
３０  バッテリ
３１  バッテリ収納室
３２  押出しカム
３５  ねじりバネ
３６  回動軸
３７  バッテリ押圧面
３８  バネ受け面
５０  テーパカム
５１，６２  圧縮バネ
５２，６３  押出し板
６０，６１  磁石
６４  支持板
７０  板バネ
【図１】
2007280703.tif 000003
【図２】
2007280703.tif 000004
【図３】
2007280703.tif 000005
【図４】
2007280703.tif 000006
【図５】
2007280703.tif 000007
【図６】
2007280703.tif 000008
【図７】
2007280703.tif 000009
【図８】
2007280703.tif 000010
【図９】
2007280703.tif 000011